(57)【要約】【課題】  杖の先ゴムを取り外すことなく杖の下端部に着脱自在に装着でき、杖の使用中に杖の下端部から外れたり、杖の下端面に対してずれたりしにくい着脱式杖先カバーを提供する。【解決手段】  杖２００の下端面を覆うためのカバー部材１１０と、カバー部材１１０を杖２００に取り付けるための取付部材１２０とを備えた着脱式杖先カバー１００において、カバー部材１１０を、杖２００の下端面に当接するカバー部１１１と、カバー部１１１に連続して設けられた弾性を有する引張部１１２とを備えたものとして、カバー部１１１を杖２００の下端面にあてがった状態で、引張部１１２に設けられた係合部１１２ａを取付部材１２０に設けられた被係合部１２１に係合させることにより、カバー部１１１を引張部１１２で上方に引っ張って杖２００の下端面に押し付けることができるようにした。【選択図】図３
2017209410.tif 000002
【特許請求の範囲】
【請求項１】
杖の下端部に対して着脱自在に取り付けられる着脱式杖先カバーであって、
杖の下端面を覆うためのカバー部材と、
カバー部材を杖に取り付けるための取付部材と
を備え、
カバー部材が、杖の下端面に当接するカバー部と、カバー部に連続して設けられた弾性を有する引張部とを備えたものとされて、
取付部材を杖に取り付け、カバー部材のカバー部を杖の下端面にあてがった状態で、引張部に設けられた係合部を取付部材に設けられた被係合部に係合させることにより、カバー部を引張部で上方に引っ張って杖の下端面に押し付けることができるようにした
ことを特徴とする着脱式杖先カバー。
【請求項２】
取付部材が、略環状を成すように形成され、杖のシャフトに外嵌されることにより杖に対して着脱自在に取り付け可能とされた請求項１に記載の着脱式杖先カバー。
【請求項３】
カバー部材の引張部が、カバー部の外縁における複数箇所に設けられ、
前記被係合部が、取付部材における、取付部材を杖に取り付けた際に杖のシャフトの周囲を囲って並ぶ複数箇所に設けられて、
それぞれの引張部に設けられた前記係合部を、当該複数箇所の被係合部のそれぞれに係合させるようにした
請求項１又は２に記載の着脱式杖先カバー。
【請求項４】
前記係合部が、引張部における、当該引張部の引張方向に所定間隔を隔てた複数箇所に設けられて、
当該複数箇所の係合部から一の係合部を選択して前記被係合部と係合させることにより、引張部にかかる張力の強さを調節することができるようにした
請求項１〜３いずれかに記載の着脱式杖先カバー。
【請求項５】
引張部にかかっている張力の強さを示すためのテンションサインが、引張部に設けられた請求項１〜４いずれかに記載の着脱式杖先カバー。
【発明の詳細な説明】
【技術分野】
【０００１】
本発明は、杖の下端部に対して着脱自在に取り付けることができる着脱式杖先カバーに関する。
【背景技術】
【０００２】
杖は、一般に歩行補助用具として用いられるものであり、通常その下端部における路面や床面に当接する箇所には先ゴムが取り付けられている。先ゴムの接地部分の仕様は、その杖が使用される場所の路面や床面に合ったものとすることが望ましい。というのも、例えば、屋内においてフローリングや樹脂製床材等の床面に対して杖を使用する場合と、冬季の屋外において雪面や凍結路面に対して杖を使用する場合とでは、先ゴムの接地部分に求められる機能が大きく異なってくるからである。そこで、同じ杖を異なる種類の路面や床面で使用したい場合には、杖を使用する場所によって先ゴムを取り換えることが考えられる。しかし、先ゴムは、杖の使用中に杖から外れてしまうと危険なため、軸にしっかりと嵌合されていることが多い。したがって、非常に強い力で引っ張る等しないと杖から取り外すことができず、手軽に交換することが難しいのが現状である。
【０００３】
このような実情に鑑みて、特許文献１には、先ゴムを取り外すことなく杖の接地部分の仕様を変更することができる杖用滑り止め具が提案されている。同文献に記載の杖用滑り止め具は、同文献の図４等に示されるように、その底部４に底板金具３を固着された弾性円筒体２を、杖１８のゴムチップ１７（先ゴム）に嵌合させることによって、杖１８の先ゴム１７に取り付けるものとなっている。しかし、この杖用滑り止め具は、弾性円筒体２を単に先ゴム１７に嵌合させることだけによって杖１８に取り付けられるものであるため、杖１８を路面や床面に対して斜めに接地させて力を加えた場合等、杖先に横方向の力が加えられた際には、杖先から外れてしまう虞があった。また、この杖用滑り止め具は、弾性円筒体２に合った形状及び大きさの先ゴム１７にしか取り付けることができないため、一般に流通している杖の中から使用者の好みのものを自由に選んで装着することはできないものであった。
【０００４】
一方、特許文献２には、同文献の図１等に示されるように、杖の石突き部２（先ゴム）を覆った杖先カバー本体３を、ベルト状の帯紐状体５で締めつけて杖１に固定することができる、杖先のカバーが提案されている。同文献に記載の杖先のカバーは、帯紐状体５で杖先カバー本体３を杖１に固定することができるようになっているため、杖１を斜めに接地させて力を加えた場合等にも、杖の下端部から外れにくいものとなっている。しかし、この杖先カバーは、杖先カバー本体３が弛む等した場合には、杖先に横方向の力がかかった際にカバー本体３の接地部分が先ゴム２の下端面に対してずれる虞があるものとなっていた。また、径が異なる先ゴム２に対して装着することはできるが、高さが異なる先ゴム２に対して杖先カバー本体３が弛まないように装着することはできないものであった。
【先行技術文献】
【特許文献】
【０００５】
【特許文献１】特開２０００−３００３１７号公報
【特許文献２】特開２０００−３００３１８号公報
【発明の概要】
【発明が解決しようとする課題】
【０００６】
本発明は、上記課題を解決するために為されたものであり、杖の先ゴムを取り外すことなく杖の接地部分の仕様を手軽に変更することができ、杖の使用中に杖の下端部から外れたり、杖の下端面に対してずれたりしにくい着脱式杖先カバーを提供するものである。
【課題を解決するための手段】
【０００７】
上記課題は、
杖の下端部に対して着脱自在に取り付けられる着脱式杖先カバーであって、
杖の下端面を覆うためのカバー部材と、
カバー部材を杖に取り付けるための取付部材と
を備え、
カバー部材が、杖の下端面に当接するカバー部と、カバー部に連続して設けられた弾性を有する引張部とを備えたものとされて、
取付部材を杖に取り付け、カバー部材のカバー部を杖の下端面にあてがった状態で、引張部に設けられた係合部を取付部材に設けられた被係合部に係合させることにより、カバー部を引張部で上方に引っ張って杖の下端面に押し付けることができるようにした
ことを特徴とする着脱式杖先カバー
を提供することによって解決される。
【０００８】
本発明の着脱式杖先カバーは、杖の先ゴムを取り外すことなく杖の接地部分の仕様を手軽に変更することができるものとなっている。また、本発明の着脱式杖先カバーは、杖に装着した際に、杖の下端部を覆うカバー部が、弾性を有する引張部で上方に引っ張られた状態（引張部に張力がかかった状態）で杖の下端面に押し付けられる構造となっている。このため、杖を斜めに接地させる等して杖先に横方向の力がかかったとしても、カバー部が杖の下端部から外れたり、杖の下端面に対してずれたりすることを防止できるようになっている。さらに、本発明の着脱式杖先カバーは、杖の先ゴムの形状や大きさを問わずに、杖に装着することができるものとなっている。すなわち、本発明の着脱式杖先カバーは、先ゴムの下端面を覆うカバー部を、弾性を有する引張部で引っ張って杖に取り付けるものであるため、先ゴムの大きさが異なる杖に対して装着する場合でも、引張部が伸縮することによって、カバー部に弛みの無い状態で杖に装着することができる。
【０００９】
ここで、「杖の下端部」や「上方に引っ張って」という記載における「上」や「下」という語句は、杖の手元側を「上」、杖先側を「下」として使用している。以下においても、特に断る場合を除き、同様とする。
【００１０】
本発明の着脱式杖先カバーにおいて、取付部材を杖に取り付けるための構造は特に限定されないが、取付部材を、略環状を成すように形成し、杖のシャフトに外嵌することにより杖に対して着脱自在に取り付け可能とすると好ましい。というのも、一般に流通している杖は、そのシャフトの太さの規格が統一されておらず、様々であるところ、上記の構造を採用することによって、取付部材の内径よりも細いシャフトを有する杖であれば、どのような杖に対しても取付部材を容易に取り付けることができるようになるからである。これにより、本発明の着脱式杖先カバーを、一般に流通している杖に対して簡単に装着可能とすることができる。ここで、「略環状」とは、閉環状に限定されず、開環状も含むものとする。
【００１１】
本発明の着脱式杖先カバーにおいては、カバー部材の引張部を、カバー部の外縁における複数箇所に設け、前記被係合部を、取付部材における、取付部材を杖に取り付けた際に杖のシャフトの周囲を囲って並ぶ複数箇所に設けて、それぞれの引張部に設けられた前記係合部を、当該複数箇所の被係合部のそれぞれに係合させるようにすると好ましい。これにより、カバー部を、その外縁における複数箇所において上方に引っ張って杖の下端面に押し付けることができるため、カバー部に対してどの方向から力がかかったとしても、カバー部が杖の下端面に対してずれにくいようにすることができる。
【００１２】
本発明の着脱式杖先カバーは、これを杖に装着した際に、引張部に適切な強さの張力がかかるようにすると好ましい。というのも、本発明の着脱式杖先カバーを杖に取り付けた際に、引張部にかかる張力が小さすぎると、杖の使用中にカバー部が杖の下端面に対してずれる虞があり、引張部にかかる張力が強すぎると、カバー部材の劣化を早める虞があるからである。このため、本発明の着脱式杖先カバーにおいては、前記係合部を、引張部における、当該引張部の引張方向に所定間隔を隔てた複数箇所に設けて、当該複数箇所の係合部から一の係合部を選択して前記被係合部と係合させることにより、引張部にかかる張力の強さを調節することができるようにすると好ましい。これにより、先ゴムの大きさや形状が異なる杖に対して着脱式杖先カバーを装着する際にも、引張部にかかる張力をその杖ごとに適切な強さに調節することができる。また、着脱式杖先カバーを杖に取り付けて使用しているうちに、引張部が伸びる等して引張部にかかる張力が適切な強さでなくなった場合にも、容易にその張力を調節しなおすことができる。
【００１３】
本発明の着脱式杖先カバーにおいては、引張部にかかっている張力の強さを示すためのテンションサインを、引張部に設けると好ましい。これにより、本発明の着脱式杖先カバーを杖に取り付けた際に、引張部にかかっている張力が適切な強さかどうかを容易に判断することができ、適切でない場合には当該テンションサインを参照しながら張力を適切な強さに調節することができる。
【発明の効果】
【００１４】
以上のように、本発明によって、杖の先ゴムを取り外すことなく杖の接地部分の仕様を手軽に変更することができ、杖の使用中に杖の下端部から外れたり、杖の下端面に対してずれたりしにくい着脱式杖先カバーを提供することが可能になる。
【図面の簡単な説明】
【００１５】
【図１】本実施態様の着脱式杖先カバーを杖に装着した状態を示す図である。
【図２】本実施態様の着脱式杖先カバーのカバー部材を杖に装着する前の状態を示す図である。
【図３】本実施態様の着脱式杖先カバーのカバー部材を杖に装着している途中の状態を示す図である。
【図４】本実施態様の着脱式杖先カバーのカバー部材を、杖に装着された際に下方となる側から見た図である。
【図５】本実施態様の着脱式杖先カバーのカバー部材を、図４におけるＡ−Ａ面で切断した状態を示した断面図である。
【図６】滑止用突起の一例を示した斜視図である。
【図７】滑止用突起の他の例を示した斜視図である
【図８】滑止用突起のまた別の例を示した斜視図である。
【図９】本実施態様の着脱式杖先カバーを装着した杖における下端部周辺を、図１におけるＢ−Ｂ面で切断した状態を示した断面図である。
【図１０】本実施態様の着脱式杖先カバーを取り付けるための杖のシャフトを、杖の手元側と杖先側とに分離させる様子を示す図である。
【図１１】本実施態様の着脱式杖先カバーの取付部材を杖のシャフトに取り付ける様子を示す図である。
【発明を実施するための形態】
【００１６】
以下、本発明の着脱式杖先カバーを実施するための好適な形態について、図面を参照しながら具体的に説明する。以下においては、本発明の着脱式杖先カバーを、一般に流通している一本杖（ステッキ）に装着する場合について説明するが、本発明の着脱式杖先カバーは、松葉杖や登山用杖等、他の種類の杖に装着して使用することもできる。
【００１７】
１．  着脱式杖先カバー
図１は、本実施態様の着脱式杖先カバー１００を杖２００に装着した状態を示す図である。図２は、本実施態様の着脱式杖先カバー１００のカバー部材１１０を杖２００に装着する前の状態を示す図である。本実施態様の着脱式杖先カバー１００は、図１に示すように、杖２００の下端面を覆うためのカバー部材１１０と、カバー部材１１０を杖２００に取り付けるための取付部材１２０とを備えたものとなっている。
【００１８】
カバー部材１１０は、図２に示すように、その中央部分に配されたカバー部１１１と、カバー部１１１に連続して設けられた引張部１１２とを備えたものとなっている。カバー部材１１０は、杖２００に装着されていないときにも、その引張部１１２がカバー部１１１に対して立ち上がったままの状態となるように（カバー部材１１０全体が略カップ状となるように）形成することもできるが、本実施態様におけるカバー部材１１０は、図２に示すように、杖２００に装着されていないときには略シート状となるように形成されている。カバー部１１１は、着脱式杖先カバー１００を杖２００に装着した際に、杖２００の下端面（先ゴム２１０の下端面）を覆うための部分である。引張部１１２は、カバー部材１１０を杖２００に取り付けるための部分である。すなわち、引張部１１２は、図１に示すように、これに設けられた係合穴１１２ａ（係合部）を取付部材１２０のフック１２１（被係合部）に係合させることで、カバー部材１１０を杖２００に取り付けるための部分となっている。引張部１１２は、図２に示すように、カバー部１１１の外縁における４箇所に設けられており、取付部材１２０に設けられた４箇所のフック１２１のそれぞれに、４箇所の引張部１１２のそれぞれを係合させるようになっている。引張部１１２は、弾性を有する素材で形成されている。
【００１９】
図３は、本実施態様の着脱式杖先カバー１００のカバー部材１１０を杖２００に装着している途中の状態を示す図である。着脱式杖先カバー１００を杖２００に取り付ける際には、図３に示すように、取付部材１２０を杖２００のシャフト２２０に外嵌させるとともに、カバー部材１１０のカバー部１１１を杖２００の下端面にあてがった状態で、引張部１１２を適度な力で上方に引っ張りながら、係合穴１１２ａを取付部材１２０のフック１２１に係合させる。すると、引張部１１２によってカバー部１１１の外縁が上方に引っ張られて、カバー部１１１が杖２００の下端面に押し付けられた状態となる。これにより、カバー部材１１０を、杖２００の下端部から外れにくい状態で杖２００に装着することができるとともに、カバー部１１１を、杖２００の下端面に対してずれにくくすることができる。また、先ゴム２１０の大きさが異なる杖２００に着脱式杖先カバー１００を装着する場合にも、引張部１１２が伸縮して、カバー部材１１０に弛みが無い状態とすることができる。カバー部材１１０は、引張部１１２を再度上方に引っ張りながら係合穴１１２ａをフック１２１から外すことで、簡単に杖２００から取り外すことができる。
【００２０】
このように、本実施態様の着脱式杖先カバー１００は、杖先に対してずれたり外れたりしにくい状態でしっかりと杖２００に装着することができるものであると同時に、手軽に杖先に着脱することができるものとなっている。加えて、本実施態様の着脱式杖先カバー１００は、先ゴム２１０の大きさが異なる杖２００に対しても弛みなく装着することができるものとなっている。以下、本実施態様の着脱式杖先カバー１００の各構成について、詳しく説明する。
【００２１】
２．  カバー部材
図４は、本実施態様の着脱式杖先カバー１００のカバー部材１１０を、杖２００に装着された際に下方となる側（以下において、「接地側」と表現することがある。）から見た図である。図５は、本実施態様の着脱式杖先カバー１００のカバー部材１１０を、図４におけるＡ−Ａ面で切断した状態を示した断面図である。図５においては、カバー部材１１０の接地側が紙面上で下側を向くようにカバー部材１１０を配置している。本実施態様においては、図４に示すように、カバー部材１１０におけるカバー部１１１の接地側に、後述する滑止用突起１１１ａを設けている。
【００２２】
カバー部材１１０の素材は、引張部１１２が弾性を有するように形成されるのであれば、特に限定されない。カバー部１１１と引張部１１２とは、同一素材で形成しても、異なる素材で形成してもよい。引張部１１２は、通常、ゴム等の弾性材料で形成される。カバー部１１１は、樹脂製や金属製とすることもできるが、ゴム等の弾性材料で形成すると、杖２００の下端面に対してずれにくくすることができるため好ましい。特に、後述するように、カバー部１１１を杖２００の下端面よりも大きめに形成して、カバー部１１１を軽く湾曲させた状態で杖２００の下端面を覆うようにする場合においては、カバー部１１１の素材を弾性材料とすることが望ましい。本実施態様においては、カバー部１１１と引張部１１２とを共に合成ゴム製としている。カバー部１１１と引張部１１２とは、別々に成形して接合させるようにしてもよいが、一体に成形すると、カバー部材１１０の構造をシンプルなものとすることができるため好ましい。
【００２３】
２．１  引張部
カバー部材１１０における引張部１１２は、カバー部１１１に連続して設けられ、杖２００の下端面に当接させたカバー部１１１の外縁を上方に引っ張ることができるものであれば、その形状を特に限定されない。引張部１１２は、カバー部１１１の外縁における１箇所だけに設けてもよいが、複数箇所に設けるようにすると好ましい。この場合には、取付部材１２０のフック１２１も、取付部材１２０における複数箇所に設けて、それぞれの引張部１１２の係合穴１１２ａを、それぞれのフック１２１に係合させるようにする。これにより、カバー部１１１を、その外縁の複数箇所で上方に引っ張って杖２００の下端面に押し付けることができるため、カバー部１１１に対してどの方向から力がかかったとしても、カバー部１１１を杖２００の下端面に対してずれにくくすることができる。
【００２４】
カバー部１１１の外縁において、引張部１１２を設ける箇所は、２箇所とすることもできるが、３箇所以上とすると、カバー部１１１を杖２００の下端面に対してよりずれにくくすることができるため好ましい。一方、引張部１１２を設ける箇所を多くしすぎると、それぞれの引張部１１２を細く形成せざるを得なくなり、引張部１１２の耐久性や張力が低下する虞がある。また、カバー部材１１０を杖２００に取り付ける際に手間がかかるという問題もある。このため、引張部１１２を設ける箇所は、１０箇所以下とすると好ましく、６箇所以下とするとより好ましい。このとき、引張部１１２を設ける箇所の数を偶数とすると好ましい。これにより、カバー部材１１０を杖２００に装着しやすくすることができる。というのも、引張部１１２を偶数箇所に設けた場合には、全ての引張部１１２をフック１２１に係合させなくとも、少なくとも向かい合う１組の引張部１１２をフック１２１に係合させれば、カバー部１１１を杖２００の下端面に当接した状態である程度安定させることができるため、カバー部１１１を杖２００の下端面からずれないように手等で押さえ続ける必要がないからである。
【００２５】
引張部１１２に設けられる係合穴１１２ａは、引張部１１２ごとに１箇所ずつ設けることもできる。しかし、この場合には、引張部１１２がカバー部１１１の外縁を上部に引っ張る力（引張部１１２にかかる張力の強さ）を調節することができず、本発明の着脱式杖先カバー１００を適切な状態で使用することができない虞がある。というのも、引張部１１２にかかる張力が弱すぎると、カバー部１１１を杖２００の下端面に押し付ける力が弱くなりすぎて、カバー部１１１が杖２００の下端面に対してずれやすくなってしまうし、引張部１１２にかかる張力が弱すぎると、引張部１１２の劣化を早める虞があるからである。このため、図４に示すように、引張部１１２における、当該引張部１１２の引張方向に所定間隔を隔てた複数箇所に係合穴１１２ａを設けて、カバー部材１１０を杖２００に取り付ける際に、１つの引張部１１２に設けられた複数箇所の係合穴１１２ａから１つを選択して取付部材１２０のフック１２１に係合させるようにすると好ましい。これにより、先ゴム２１０の大きさが異なる杖２００に着脱式杖先カバー１００を装着する場合にも、引張部１１２にかかる張力を適切な強さに調節することができる。
【００２６】
引張部１１２ごとに設けられる係合穴１１２ａの個数は特に限定されないが、少なすぎると引張部１１２にかかる張力の強さを適切に調節することができない虞がある。このため、引張部１１２ごとの係合穴１１２ａの個数は、３個以上とすると好ましく、４個以上とするとより好ましい。一方、引張部１１２ごとの係合穴１１２ａの個数を多くしすぎると、係合穴１１２ａの間に位置する横桟部１１２ｂが細くなってしまい、横桟部１１２ｂの強度が低下する虞がある。横桟部１１２ｂは、フック１２１に係合穴１１２ａを係合させた際に力がかかる部分であるため、十分な強度を有するものとする必要がある。このため、引張部１１２ごとの係合穴１１２ａの個数は、１０個以下とすると好ましく、７個以下とするとより好ましい。本実施態様においては、引張部１１２ごとに５個程度の係合穴１１２ａを設けている。
【００２７】
係合穴１１２ａの形状は、特に限定されないが、図４に示すように、略矩形状とすると好ましい。というのも、係合穴１１２ａを略矩形状とすると、係合穴１１２ａの左右に位置する縦桟部１１２ｃの太さを略一定にすることができるため、引張部１１２を引っ張ったときに、縦桟部１１２ｃ全体が均等に伸びるようにすることができるからである。すなわち、縦桟部１１２ｃの特定の箇所だけが大きく伸びて、当該特定箇所に負担が集中することを防いで、引張部１１２の劣化を遅らせることができる。本実施態様においては、引張部１１２における横桟部１１２ｂや縦桟部１１２ｃを、その延在方向に垂直な方向の断面が略矩形状となるように形成しているが、横桟部１１２ｂや縦桟部１１２ｃは、その断面が略楕円状や略円状となるように形成することもできる。
【００２８】
本実施態様の着脱式杖先カバー１００は、引張部１１２に適度な強さの張力がかかった状態で杖２００に装着することにより、その効果を発揮するものである。しかし、どの程度の張力を引張部１１２にかければよいのかを、杖使用者が適切に判断することは必ずしも容易ではない。このため、引張部１１２には、引張部１１２にかかっている張力の強さを示すためのテンションサイン１１２ｄを設けると好ましい。本実施態様においては、引張部１１２における縦桟部１１２ｃに目盛り状のテンションサイン１１２ｄを設けている。引張部１１２を引っ張ると、テンションサイン１１２ｄの目盛の間隔が変化するため、この目盛の幅が所定の長さとなるように引張部１１２の引張具合を調節することで、誰でも簡単に引張部１１２にかかる張力を適切な強さとすることができる。
【００２９】
２．２  カバー部
カバー部１１１の接地側の形状は、特に限定されない。カバー部１１１は、杖２００の下端面を覆って、杖２００の接地部分の仕様を変更するための部分となっているため、カバー部１１１の接地側には、路面や床面に接地する部分を所望の仕様とするための接地用構造を設けると好ましい。接地用構造は、所望の機能を有するものであれば、その具体的な構造を特に限定されない。接地用構造を設ける目的も特に限定されないが、本実施態様においては、図４に示すように、滑り止めのための接地用構造として滑止用突起１１１ａを設けている。
【００３０】
図６は、滑止用突起１１１ａの一例を示した斜視図である。滑止用突起１１１ａは、着脱式杖先カバー１００を使用しようとする路面又は床面に対して所望の滑り止め機能を有するものであれば、その構造を特に限定されない。本実施態様における滑止用突起１１１ａは、図６に示すように、略矩形柱状に形成されており、その先端面１１１ａ１の略中央に、段階的に陥入した陥入部１１１ａ２が設けられたものとなっている。このような構造は、凍結した路面や氷面等に対して着脱式杖先カバー１００を使用する場合に好適に採用することができる。滑止用突起１１１ａの該形状は、図６に示す矩形柱状に限定されず、他の多角柱状や、円柱状とすることもできる。滑止用突起１１１ａの個数や配置パターンも特に限定されず、滑止用突起１１１ａの形状に応じて適宜定めることができる。
【００３１】
滑止用突起１１１ａを形成する素材は特に限定されないが、これを図６に示す形状やこれに類似する形状とする場合には、比較的硬度の低い弾性材料とすると、凍結した路面や氷面等に対しての滑り止め効果をより高めることができるため好ましい。具体的には、天然ゴムやこれの代替素材（例えば、合成イソプレンゴムラテックス等）が適している。滑止用突起１１１ａは、カバー部１１１とは別に成形し、カバー部１１１に固着させるようにしてもよいが、カバー部１１１と一体に成形するようにすると、カバー部１１１から脱落しにくくすることができるため好ましい。
【００３２】
図７は、滑止用突起１１１ａの他の例を示した斜視図である。図７に示す滑止用突起１１１ａは、その陥入部１１１ａ２の内部に、先鋭の突刺体１１１ｂを有している。突刺体１１１ｂは、滑止用突起１１１ａに圧力がかかっていない状態においては、その先端が滑止用突起１１１ａの先端面１１１ａ１よりも内側に控えて位置するように設けられているものの、着脱式杖先カバー１００を接地させて、滑止用突起１１１ａが路面や床面に押し付けられて変形した際には、滑止用突起１１１ａから突出して路面や床面に突き刺さるようになっている。これにより、凍結した路面や氷面等に対する滑り止め効果をより高いものとすることができる。
【００３３】
図８は、滑止用突起１１１ａのまた別の例を示した斜視図である。図８に示すような滑止用突起１１１ａは、本発明の着脱式杖先カバー１００をフローリングや樹脂製フロア等の床面に対して使用する場合に適しており、特に濡れた床面や油の付着した床面等に対する滑り止め効果の高いものとなっている。滑止用突起１１１ａの形状は、平坦な先端面を有するものであれば、図８に示す形状に限定されない。滑止用突起１１１ａの大きさや配置パターンも特に限定されないが、強い力がかかりがちな外側の滑止用突起１１１ａほど大きくなるようにすると、滑止用突起１１１ａを破損しにくくすることができるため好ましい。滑止用突起１１１ａを図８に示すような形状やこれに類似する形状とする場合には、滑止用突起１１１ａを比較的硬度の高い弾性材料で形成すると、濡れた床面や油の付着した床面等に対する滑り止め効果をより高めることができるため好ましい。具体的には、滑止用突起１１１ａの素材を、合成ゴムとすると好ましい。
【００３４】
一方、カバー部１１１の上面側（杖２００に着脱式杖先カバー１００を装着した際に杖２００の下端面に当接する側。以下において、「杖当接側」と表現することがある。）の構造も、特に限定されない。カバー部１１１の杖当接側の構造は、杖２００の下端面に当接した際に、杖２００の下端面に対してずれにくいものとすると好ましい。特に、いわゆるウォーキング用ポール等で一般的に採用される、径の小さな略球状の杖先を有する杖２００に対して着脱式杖先カバー１００を装着した際に、カバー部１１１と杖２００の下端面とがずれやすくなりがちである。このため、本実施態様においては、図５に示すように、カバー部１１１の杖当接側に凹部１１１ｃを設けている。これにより、杖２００に着脱式杖先カバー１００を装着した際に、杖２００の下端面をこの凹部１１１ｃにフィットさせて、カバー部１１１と杖２００の下端面とをよりずれにくくすることができる。
【００３５】
図９は、本実施態様の着脱式杖先カバー１００を装着した杖２００における下端部周辺を、図１におけるＢ−Ｂ面で切断した状態を示した断面図である。カバー部１１１の大きさは、杖２００の下端面を覆うことができるようになっていれば、特に限定されない。カバー部１１１は、杖２００の下端面の一部を覆うようにしてもよいが、杖２００の下端面の全体を覆うようにすると好ましい。本実施態様におけるカバー部１１１は、一般に流通している標準的な杖２００の下端面よりも一回り大きいものとなっている。これにより、以下のような効果を奏することができる。すなわち、本実施態様の着脱式杖先カバー１００を杖２００に装着すると、図９に示すように、カバー部１１１が杖２００の下端面のみならず、杖２００下端部の側方の一部も覆って、やや外向きに湾曲した状態となる。カバー部１１１に滑止用突起１１１ａを設けた場合には、滑止用突起１１１ａが、杖２００の下端面に対して側方外側に向かってやや斜めに突出した状態となる。これにより、杖２００を路面や床面に対して真っ直ぐついた場合だけでなく、斜めについた場合であっても、滑止用突起１１１ａを路面や床面に接地させて、高い滑り止め効果を得ることができるようになっている。
【００３６】
３．  取付部材
図１０及び図１１は、本実施態様の取付部材１２０を杖２００に取り付ける様子を示している。図１０は、本実施態様の着脱式杖先カバー１００を取り付けるための杖２００のシャフト２２０を、杖２００の手元側と杖先側とに分離させる様子を示す図である。図１１は、本実施態様の着脱式杖先カバー１００の取付部材１２０を杖２００のシャフト２２０に取り付ける様子を示す図である。本実施態様における取付部材１２０は、図１１に示すように、略環状に形成された基部１２２と、４箇所のフック１２１とを備えたものとなっている。
【００３７】
本実施態様における取付部材１２０は、図１０に示すように、これを取り付けるための杖２００のシャフト２２０を手元側と杖先側とに分離させたのち、図１１に示すように、基部１２２を杖先側のシャフト２２０に外嵌させることで、杖２００に取り付けることができるようになっている。基部１２２の内径は、一般に流通している標準的な杖２００のシャフト２２０の外径よりは大きく、先ゴム２１０の外径よりは小さくなっている。このため、取付部材１２０をシャフト２２０に外嵌させると、取付部材１２０は先ゴム２１０の上端部に当接した状態で止まり、それよりも杖先側に移動させることができなくなる。この状態で、図１に示すように、カバー部材１１０を杖２００の下端部に装着して、フック１２１に引張部１１２を係合させると、引張部１１２によって取付部材１２０が下方（杖先側）に引っ張られる。これにより、取付部材１２０を杖２００に対して完全に固定しなくとも、取付部材１２０を杖２００に対して動かない状態で杖２００に取り付けることができるようになっている。
【００３８】
取付部材１２０は、引張部１１２をフック１２１に係合させたときにも杖２００から外れない状態で杖２００に取り付けることができるものであれば、その構造を特に限定されない。取付部材１２０は、杖２００に固着させるようにしてもよいが、この場合には、一度杖２００に取付部材１２０を取り付けると、再び取り外しにくくなってしまう。このため、取付部材１２０を、略環状を成すように形成し、杖２００のシャフト２２０に外嵌させることで、杖２００に対して着脱自在に取り付けることができるようにすると好ましい。これにより、杖２００の使用状況に応じて、手軽に取付部材１２０を杖２００に着脱することができる。加えて、先ゴム２１０の大きさやシャフト２２０の太さ等が多少異なる杖２００に対しても取付部材１２０を取り付けることができるため、杖使用者が好みの杖を自由に選んで、これに着脱式杖先カバー１００を取り付けることができるという利点もある。
【００３９】
取付部材１２０を、杖２００のシャフト２２０に外嵌可能とする構成は特に限定されない。取付部材１２０は、常に略環状となっている必要はなく、シャフト２２０に外嵌させた際に略環状となっていればよい。このため、例えば、取付部材１２０の基部１２２を可撓性の帯状体として形成し、これをシャフト２２０に巻き付けるようにしてもよい。本実施態様においては、図１１に示すように、閉環状に形成した取付部材１２０の基部１２２に、杖２００のシャフト２２０を挿通させることで取付部材１２０を杖２００に外嵌可能としている。これにより、取付部材１２０の構造をシンプルなものとして、取付部材１２０の製造コストを抑えることができる。また、取付部材１２０を壊れにくいものとすることもできる。ただし、この場合、基部１２２の内径よりも太いシャフト２２０を有する杖２００や、先ゴム２１０の最大外径が基部１２２の内径よりも小さい杖２００には、取付部材１２０を取り付けることができない。このため、取付部材１２０を閉環状に形成する場合には、基部１２２の内径が異なる取付部材１２０を何種類か用意しておき、着脱式杖先カバー１００を取り付けようとする杖２００のシャフト２２０の太さや先ゴム２１０の大きさに合わせて、最適な取付部材１２０を選択できるようにしておくと好ましい。
【００４０】
一方、シャフト２２０を図１０のように分離することができないタイプの杖２００に対して着脱式杖先カバー１００を装着しようとする場合には、取付部材１２０の基部１２２を開環状に形成することで、シャフト２２０を分離しなくても取付部材１２０をシャフト２２０に外嵌させることができるようにすると好ましい。このとき、基部１２２を、開環状の一の部材として形成し、撓ませてその開環部を広げることでシャフト２２０に外嵌可能とすることもできるが、互いに可動な状態で接合された２以上の部材を備えた開閉可能な環状構造に形成し、開環させた状態でシャフト２２０を挟み込んでから閉環させることができるようにすると好ましい。この場合には、さらに、閉環時の基部１２２の内径を調節可能としておくと、上述したように取付部材１２０を何種類か用意しなくとも、取付部材１２０をあらゆる種類の杖２００に対して取り付けることができるため好ましい。
【００４１】
フック１２１の形状は、上方に引っ張った状態の引張部１１２を係合させることができるようになっていれば、特に限定されない。本実施態様において、フック１２１は上向きの略柱状部となっているが、その先端内側に、引張部１１２の係合穴１１２ａを外れにくくするための外れ防止用突起をさらに設けてもよい。
【００４２】
取付部材１２０において、フック１２１を設ける位置は特に限定されないが、上述したようにカバー部材１１０の引張部１１２を複数箇所に設ける場合には、フック１２１もこれに応じて複数箇所に設けるようにする。このとき、フック１２１を取付部材１２０の基部１２２における均等な位置に配するようにすると好ましい。ここで、「フック１２１を取付部材１２０の基部１２２における均等な位置に配する」とは、取付部材１２０を杖２００に取り付けた際に、フック１２１が杖２００のシャフトの周囲に略等間隔に並ぶように、フック１２１を取付部材１２０の基部１２２に配することをいう。これにより、複数の引張部１１２にかかる張力の強さを、互いに近いものとすることができ、カバー部１１１をより安定した状態で杖２００の下端面に押し付けることができる。本実施態様において、フック１２１は、取付部材１２０の基部１２２における均等な４箇所に設けている。
【００４３】
取付部材１２０の素材は、必要な強度が確保できるものであれば特に限定されない。取付部材１２０は、ゴムや金属等で形成することもできるが、本実施態様においては樹脂製となっている。これにより、取付部材１２０を安価かつ容易に成形することができる。また、杖２００に取付部材１２０を取り付ける際にシャフト２２０を傷つけにくくすることもできる。
【符号の説明】
【００４４】
１００      着脱式杖先カバー
１１０      カバー部材
１１１      カバー部
１１１ａ    滑り止め用突起
１１１ａ１  先端面
１１１ａ２  陥入部
１１１ｂ    突刺体
１１１ｃ    凹部
１１２      引張部
１１２ａ    係合穴（係合部）
１１２ｂ    横桟部
１１２ｃ    縦桟部
１１２ｄ    テンションサイン
１２０      取付部材
１２１      フック（被係合部）
１２２      基部
２００      杖
２１０      先ゴム
２２０      シャフト
【図１】
2017209410.tif 000003
【図２】
2017209410.tif 000004
【図３】
2017209410.tif 000005
【図４】
2017209410.tif 000006
【図５】
2017209410.tif 000007
【図６】
2017209410.tif 000008
【図７】
2017209410.tif 000009
【図８】
2017209410.tif 000010
【図９】
2017209410.tif 000011
【図１０】
2017209410.tif 000012
【図１１】
2017209410.tif 000013